(57)【要約】      （修正有）【課題】不要になった輪ゴムを再度使用する時、取り置きした順に使用できる輪ゴムホルダーを提供する。【解決手段】輪ゴムを取り置き順に再使用することの出来る輪ゴムホルダーである。輪ゴムホルダーは、上下に爪を設けた縦長のフック部分と内部に取り付けた磁石とフック部分の上下の爪が掛かるように施した上下２箇所の溝を設けたフックを支える部分から成り、お互いの磁石の磁力で引き合う形態である。【選択図】図６
0003151584.tif 000002
【実用新案登録請求の範囲】
【請求項１】
不要になった輪ゴムを取り置きして置くホルダーで、再度使用する時に輪ゴムを取り置きした順から順に使用できるところを特徴とする輪ゴムホルダー
【考案の詳細な説明】
【技術分野】
【０００１】  本考案は、不要になった輪ゴムを再度使用する時、取り置きした順に使用できる輪ゴムホルダーに関するものである
【背景技術】
【０００２】  現在の一般的な輪ゴムの取り置き手段は、ケースや器に入れるか、フックなどに掛けるかで、再度使用する時には新しいものほど上にあるため、新しい輪ゴムから使用しなければならなかったり、最初に取り置きした輪ゴムほど古くなって使用できなくなることもあった
【考案の開示】
【考案が解決しようとする課題】
【０００３】  本考案は、輪ゴムを取り置きした順に再使用できることにより前述の欠点を解決するものである
【課題を解決するための手段】
【０００４】  本考案は、輪ゴムをホルダーの上部から掛け再度使用する時は下部から引き抜くことで、問題解決と目的に達している
【考案の効果】
【０００５】  上述の様に、本考案の輪ゴムホルダーは、不要になった輪ゴムを捨てずに取り置きした順に再使用するため、古くなって使えなくなることを減らし無駄にするこが少なくなり、結果、環境対策につながる商品となる
【考案を実施するための最良の形態】
【０００６】  本考案の輪ゴムホルダーは、内部に取り付けた磁石と上下に爪を設けた縦長のフック部分と内部に取り付けた磁石とフック部分の上下の爪が掛かるように施した上下２箇所の溝を設けたフックを支える部分から成り、お互いの磁石の磁力で引き合う形態である
【実施例】
【０００７】  以下、添付図に従って実施例を説明する。「図１」１は耐久性のプラスチックス等適性素材にて一体化形成されたフック部分、フック部分１の内側に取り付けられた磁石２、フックを支える上部の爪３、下部の爪４、５は耐久性のプラスチックス等適性素材にて一体化形成されたフックを支える部分、フックを支える部分５の内側に取り付けられた磁石６、フックを留める上部の溝７、下部の溝８、磁石で固定出来ない壁などの素材のための接着テープ９，フック部分１の爪３と４がフックを支える部分５の溝７と８に掛かった状態で、フック部分１の磁石２とフックを支える部分５の磁石６が磁力で引き合って輪ゴムホルダーと成す、上部から輪ゴムをフック部分１とフックを支える部分５との間に掛け、下に引くとその力で上部の爪３と溝７の間が開き輪ゴムが下にさがりフック部分１とフックを支える部分５との間に挟まる「図５」、その際、フック部分１の爪４がフックを支える部分５の溝８に掛かっているためフック部分１は下に下がらず、取り出す時は輪ゴムを下に引くとその力で下部の爪４と溝８の間が開く、その際フック部分１の爪３がフックを支える部分５の溝７に掛かっているためフック部分１は下にさがらず、輪ゴムを取り出すことが出来る「図６」、多くの輪ゴムを留めるにはサイズを変えることで対応可能である
【産業上の利用可能性】
【０００８】  本考案の輪ゴムホルダーは、輪ゴムの再利用を進め、古くなって使えなくなることを少しでも減らすことにより多少なりとも環境対策に役立つ商品となりうる
【図面の簡単な説明】
【０００９】
【図１】本考案の側面の断面図
【図２】本考案の側面図
【図３】本考案の正面図
【図４】本考案の上面図
【図５】本考案の輪ゴムが掛かった時の図
【図６】本考案の輪ゴムが取れた時の図
【符号の説明】
【００１０】１      フック部分
２      フック部分の磁石
３      フック部分の上部の爪
４      フック部分の下部の爪
５      フックを支える部分
６      フックを支える部分の磁石で冷蔵庫やスチール等に固定させるための磁石
７      フックを支える部分の上部の溝
８      フックを支える部分の下部の溝
９      フックを支える部分の壁面等に接着させる為のテープ
１０    輪ゴム
【図１】
0003151584.tif 000003
【図２】
0003151584.tif 000004
【図３】
0003151584.tif 000005
【図４】
0003151584.tif 000006
【図５】
0003151584.tif 000007
【図６】
0003151584.tif 000008
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
使用済み輪ゴムを再利用するために取り置きしておく輪ゴムホルダーで、耐久性のプラスチックス等適性素材にて一体化形成されたフック部分（図１のＡ）と耐久性のプラスチックス等適性素材にて一体化形成されたフック止め部分（図１のＢ）が一体化形成されたフック部分（図１のＡ）の内側に設けられた磁石（図１のＡ−３）と一体化形成されたフック止め部分（図１のＢ）の内側に設けられた磁石（図１のＢ−３）がお互いに引き合い、一体化形成されたフック部分（図１のＡ）の上部に設けられた脱落防止止め第一フック（図１のＡ−１）が一体化形成されたフック止め部分（図１のＢ）の上部に設けられた脱落防止止め第一フック受け（図１のＢ−１）に掛かり、また一体化形成されたフック部分（図１のＡ）の下部に設けられた脱落防止止め第二フック（図１のＡ−２）が一体化形成されたフック止め部分（図１のＢ）の下部に設けられた脱落防止止め第二フック受け（図１のＢ−２）に掛かっていることにより輪ゴムホルダーを形成し、第一の輪ゴム（図１のア）を掛ける場合、一体化形成されたフック部分（図１のＡ）と一体化形成されたフック止め部分（図１のＢ）の上部の間に第一の輪ゴム（図１のア）を挟み込み下に引けば、その力により一体化形成されたフック（図１のＡ）の内側に設けられた磁石（図１のＡ−３）と一体化形成されたフック止め部分（図１のＢ）の内側に設けられた磁石（図１のＢ−３）の引き合う力より勝る時、第一の輪ゴム（図１のア）は、一体化形成されたフック部分（図１のＡ）の上部に設けられた脱落防止止め第一フック（図１のＡ−１）が一体化形成されたフック止め部分（図１のＢ）の上部に設けられた脱落防止止め第一フック受け（図１のＢ−１）から浮くが、一体化形成されたフック部分（図１のＡ）の下部に設けられた脱落防止止め第二フック（図１のＡ−２）が一体化形成されたフック止め部分（図１のＢ）の下部に設けられた脱落防止止め第二フック受け（図１のＢ−２）に掛かっていることにより一体化形成されたフック部分（図１のＡ）が一体化形成されたフック止め部分（図１のＢ）からずれ落ちることなく第一の輪ゴム（図１のア）は一体化形成されたフック部分（図１のＡ）と一体化形成されたフック止め部分（図１のＢ）の間に収納され、同じ要領で第二の輪ゴム（図１のイ）、第三の輪ゴム（図１のウ）を留めることが出来、輪ゴムを取り出したい時は、第一の輪ゴム（図１のア）から下に引けば、その力により一体化形成されたフック（図１のＡ）の内側に設けられた磁石（図１のＡ−３）と一体化形成されたフック止め部分（図１のＢ）の内側に設けられた磁石（図１のＢ−３）の引き合う力より勝る時、第一の輪ゴム（図１のア）は、一体化形成されたフック部分（図１のＡ）の下部に設けられた脱落防止止め第二フック（図１のＡ−２）が一体化形成されたフック止め部分（図１のＢ）の下部に設けられた脱落防止止め第二フック受け（図１のＢ−２）から浮くが、一体化形成されたフック部分（図１のＡ）の上部に設けられた脱落防止止め第一フック（図１のＡ−１）が一体化形成されたフック止め部分（図１のＢ）の上部に設けられた脱落防止止め第一フック受け（図１のＢ−１）に掛かっていることにより一体化形成されたフック部分（図１のＡ）が一体化形成されたフック止め部分（図１のＢ）からずれ落ちることなく第一の輪ゴム（図１のア）は輪ゴムホルダーから取り出せることで、取り置きした第一の輪ゴム（図１のア）から順に使用できるところを特徴とする輪ゴムホルダー。
【手続補正２】
【補正対象書類名】明細書
【補正対象項目名】０００１
【補正方法】変更
【補正の内容】
【０００１】  本考案は、輪ゴムを再利用するために取り置きしておく輪ゴムホルダーで、輪ゴム再度使用する時、輪ゴムを取り置きした順に使用できる輪ゴムホルダーに関するものである
【手続補正３】
【補正対象書類名】明細書
【補正対象項目名】０００２
【補正方法】変更
【補正の内容】
【０００２】  現在の一般的な輪ゴムの取り置き手段は、ケースや器に入れるか、フックなどに掛けるかで、輪ゴムを再度使用する時には最後に取り置きした輪ゴムほど上にあるため、最後に取り置きした輪ゴムから使用しなければならず、最初に取り置きした輪ゴムほど古くなって使用できなくなることもあった
【手続補正４】
【補正対象書類名】明細書
【補正対象項目名】０００４
【補正方法】変更
【補正の内容】
【０００４】  本考案は、輪ゴムを輪ゴムホルダーの上部から掛け、輪ゴムを再度使用する時は下部から引き抜くことで、問題解決と目的に達している
【手続補正５】
【補正対象書類名】明細書
【補正対象項目名】０００５
【補正方法】変更
【補正の内容】
【０００５】  上述の様に、本考案の輪ゴムホルダーは、不要になった輪ゴムを捨てずに最初に取り置きした輪ゴムから順に再使用するため、古くなって使えなくなる輪ゴムを減らし無駄にすることなくなり、結果、環境対策につながる商品となる
【手続補正６】
【補正対象書類名】明細書
【補正対象項目名】０００６
【補正方法】変更
【補正の内容】
【０００６】  本考案の輪ゴムホルダーは、一体化形成されたフック部分の内側に設けられた磁石と一体化形成されたフック止め部分の内側に設けられた磁石がお互いに引き合い、一体化形成されたフック部分と一体化形成されたフック止め部分が一体化形成されたフック部分の上部に設けられた脱落防止止め第一フックが一体化形成されたフック止め部分の上部に設けられた脱落防止止め第一フック受けに掛かり、また一体化形成されたフック部分の下部に設けられた脱落防止止め第二フックが一体化形成されたフック止め部分の下部に設けられた脱落防止止め第二フック受けに掛かっていることにより輪ゴムホルダーを形成する
【手続補正７】
【補正対象書類名】明細書
【補正対象項目名】０００７
【補正方法】変更
【補正の内容】
【０００７】  以下、添付図に従って実施例を説明する。耐久性のプラスチックス等適性素材にて一体化形成されたフック部分（図１のＡ）と耐久性のプラスチックス等適性素材にて一体化形成されたフック止め部分（図１のＢ）が一体化形成されたフック部分（図１のＡ）の内側に設けられた磁石（図１のＡ−３）と一体化形成されたフック止め部分（図１のＢ）の内側に設けられた磁石（図１のＢ−３）がお互いに引き合い、一体化形成されたフック部分（図１のＡ）の上部に設けられた脱落防止止め第一フック（図１のＡ−１）が一体化形成されたフック止め部分（図１のＢ）の上部に設けられた脱落防止止め第一フック受け（図１のＢ−１）に掛かり、また一体化形成されたフック部分（図１のＡ）の下部に設けられた脱落防止止め第二フック（図１のＡ−２）が一体化形成されたフック止め部分（図１のＢ）の下部に設けられた脱落防止止め第二フック受け（図１のＢ−２）に掛かっていることにより輪ゴムホルダーを形成し、第一の輪ゴム（図１のア）を掛ける場合、一体化形成されたフック部分（図１のＡ）と一体化形成されたフック止め部分（図１のＢ）の上部の間に第一の輪ゴム（図１のア）を挟み込み下に引けば、その力により一体化形成されたフック（図１のＡ）の内側に設けられた磁石（図１のＡ−３）と一体化形成されたフック止め部分（図１のＢ）の内側に設けられた磁石（図１のＢ−３）の引き合う力より勝る時、第一の輪ゴム（図１のア）は、一体化形成されたフック部分（図１のＡ）の上部に設けられた脱落防止止め第一フック（図１のＡ−１）が一体化形成されたフック止め部分（図１のＢ）の上部に設けられた脱落防止止め第一フック受け（図１のＢ−１）から浮くが、一体化形成されたフック部分（図１のＡ）の下部に設けられた脱落防止止め第二フック（図１のＡ−２）が一体化形成されたフック止め部分（図１のＢ）の下部に設けられた脱落防止止め第二フック受け（図１のＢ−２）に掛かっていることにより一体化形成されたフック部分（図１のＡ）が一体化形成されたフック止め部分（図２のＢ）からずれ落ちることなく第一の輪ゴム（図１のア）は一体化形成されたフック部分（図１のＡ）と一体化形成されたフック止め部分（図１のＢ）の間に収納される。また、輪ゴムを取り出したい時は、第一の輪ゴム（図２のア）から下に引けば、その力により一体化形成されたフック（図２のＡ）の内側に設けられた磁石（図２のＡ−３）と一体化形成されたフック止め部分（図２のＢ）の内側に設けられた磁石（図２のＢ−３）の引き合う力より勝る時、第一の輪ゴム（図２のア）は、一体化形成されたフック部分（図２のＡ）の下部に設けられた脱落防止止め第二フック（図２のＡ−２）が一体化形成されたフック止め部分（図２のＢ）の下部に設けられた脱落防止止め第二フック受け（図２のＢ−２）から浮くが、一体化形成されたフック部分（図２のＡ）の上部に設けられた脱落防止止め第一フック（図２のＡ−１）が一体化形成されたフック止め部分（図２のＢ）の上部に設けられた脱落防止止め第一フック受け（図２のＢ−１）に掛かっていることにより一体化形成されたフック部分（図２のＡ）が一体化形成されたフック止め部分（図２のＢ）からずれ落ちることなく第���の輪ゴム（図２のア）は輪ゴムホルダーから取り出せる
【手続補正８】
【補正対象書類名】明細書
【補正対象項目名】０００８
【補正方法】変更
【補正の内容】
【０００８】  本考案の輪ゴムホルダーは、輪ゴムを使用する作業の効率を図ったり、輪ゴムの再利用を進め、古くなって使えなくなることを少しでも減らすことにより環境対策に役立つ商品となりうる
【手続補正９】
【補正対象書類名】明細書
【補正対象項目名】０００９
【補正方法】変更
【補正の内容】
【０００９】
【図１】本考案のフック部分とフック止め部分の一体化図（輪ゴムを掛ける図）
【図２】本考案のフック部分とフック止め部分の一体化図（輪ゴムを抜き取る図）
【図３】本考案のフック部分とフック止め部分の一体化図（輪ゴムを抜き取れた図）
【図４】本考案のフック部分の図（内側に設けた磁石）
【図５】本考案のフック止め部分の図（内側に設けた磁石）
【図６】本考案のフック部分とフック止め部分の一体化された時の側面断面図
【図７】本考案のフック部分の側面断面図
【図８】本考案のフック止め部分の側面断面図
【図９】本考案の右側面（Ｖ）、正面（Ｗ）、左側面（Ｘ）、裏面（Ｙ）、上部面（Ｕ）、下部面（Ｚ）の図
【手続補正１０】
【補正対象書類名】明細書
【補正対象項目名】００１０
【補正方法】変更
【補正の内容】
【００１０】Ａ      一体化形成されたフック部分
Ａ−１  一体化形成されたフック部分に設けた脱落防止止め第一フック
Ａ−２  一体化形成されたフック部分に設けた脱落防止止め第二フック
Ａ−３  一体化形成されたフック部分の内側に設けられた磁石
Ｂ      一体化形成されたフック止め部分
Ｂ−１  一体化形成されたフック止め部分に設けられた脱落防止止め第一フック受け
Ｂ−２  一体化形成されたフック止め部分に設けられた脱落防止止め第二フック受け
Ｂ−３  一体化形成されたフック止め部分の内側に設けられた磁石
Ｂ−４  一体化形成されたフック止め部分に設けられた一体化形成されたフック部分の第一横ずれ防止部
Ｂ−５  一体化形成されたフック止め部分に設けられた一体化形成されたフック部分の第二横ずれ防止部
Ｂ−６  壁面取り付け用両面テープ
ア      第一輪ゴム
イ      第二輪ゴム
ウ      第三輪ゴム
エ      輪ゴムを引く親指と人差し指
【手続補正１１】
【補正対象書類名】図面
【補正対象項目名】全図
【補正方法】変更
【補正の内容】
【図１】
0003151584.tif 000009
【図２】
0003151584.tif 000010
【図３】
0003151584.tif 000011
【図４】
0003151584.tif 000012
【図５】
0003151584.tif 000013
【図６】
0003151584.tif 000014
【図７】
0003151584.tif 000015
【図８】
0003151584.tif 000016
【図９】
0003151584.tif 000017